(57)【特許請求の範囲】
【請求項１】
郵便物を収容する収容部、建物の壁の外側から前記郵便物を前記収容部内に投入可能な投入口、前記壁の内側から前記収容部内の前記郵便物を回収可能な取出口、及び該取出口を開閉可能な扉部材を備えた壁貫通式のポストであって、
前記収容部は、前記壁外方側が該壁外面から張り出すとともに、前記壁内方側が該壁内面近傍に配置され、前記収容部上方に上面側に突出する突出部には上下に貫通する前記投入口が形成され、前記突出部に上方から嵌合可能な蓋部材が回動可能に取り付けられており、前記投入口は回動可能に取り付けられた閉塞部材により下方から閉塞され、前記扉部材は透明部材により形成されていることを特徴とするポスト。
【請求項２】
前記扉部材は、スライド扉であることを特徴とする請求項１に記載のポスト。
【請求項３】
前記取出口を閉塞時には、前記取出口の周辺と前記スライド扉との間に密封部材が介在することを特徴とする請求項２に記載のポスト。
【請求項４】
前記投入口が前記収容部上方に、前記取出口が前記収容部の下方に設けられていることを特徴とする請求項１ないし３のいずれかに記載のポスト。
【発明の詳細な説明】
【技術分野】
【０００１】
本発明は、建物の壁に貫通して取付けられる壁貫通式のポストに関する。
【背景技術】
【０００２】
郵便物等を受け取るための装置として、家の壁に取付けられるポストが利用されている。このようなポストとして、例えば、特許文献１に示されるようなものがある。このポストは、内部に収納部を有する投函箱（収容部）が、家の壁を貫通する取付孔に配置されている。この投函箱における前面部には、郵便物を投入する投入口が設けられているとともに、この投函箱における後面部には、郵便物を取り出す取出口が設けられ、この取出口には、後蓋（扉部材）が設けられている。これにより、壁の外側から投入口を介して投函箱内に郵便物を投入・収容し、該郵便物を壁の内側から後蓋を開放して取出口を介して取り出せるようになっており、郵便物の受渡しを効率よく行えるようになっている。
【先行技術文献】
【特許文献】
【０００３】
【特許文献１】特開２０１５−６６２８５号公報（第２頁、第１図）
【発明の概要】
【発明が解決しようとする課題】
【０００４】
しかしながら、特許文献１のポストにあっては、収容部の収容領域を稼ぐために投函箱の奥行き幅をある程度大きくとっているとともに、その収納部が壁の内側、すなわち建物の内側に張り出すように投函箱が取付孔に配置されているため、投函箱の後面部が壁の内側の空間に大きく張り出してしまい、壁の内側で人の通行の邪魔になるという問題があった。
【０００５】
本発明は、このような問題点に着目してなされたもので、壁の内側において人の通行の邪魔にならないポストを提供することを目的とする。
【課題を解決するための手段】
【０００６】
前記課題を解決するために、本発明のポストは、
郵便物を収容する収容部、建物の壁の外側から前記郵便物を前記収容部内に投入可能な投入口、前記壁の内側から前記収容部内の前記郵便物を回収可能な取出口、及び該取出口を開閉可能な扉部材を備えた壁貫通式のポストであって、
前記収容部は、前記壁外方側が該壁外面から張り出すとともに、前記壁内方側が該壁内面近傍に配置され、前記収容部上方に上面側に突出する突出部には上下に貫通する前記投入口が形成され、前記突出部に上方から嵌合可能な蓋部材が回動可能に取り付けられており、前記投入口は回動可能に取り付けられた閉塞部材により下方から閉塞され、前記扉部材は透明部材により形成されていることを特徴としている。
この特徴によれば、収容部の壁外方側が建物の壁から外側に張り出すようにして収容空間を確保しつつ、収容部の壁内方側の壁から内側への張り出し量を抑えることで、壁の内側において人の通行の邪魔にならない。
【０００７】
前記扉部材は、スライド扉であることを特徴としている。
この特徴によれば、スライド扉をスライドさせて取出口を開放しても該スライド扉が壁の内側に突出しないため、スライド扉が人の通行の邪魔にならない。
【０００８】
前記取出口を閉塞時には、前記取出口の周辺と前記スライド扉との間に密封部材が介在することを特徴としている。
この特徴によれば、取出口の閉塞時には、取出口の周辺とスライド扉との間に密封部材が介在するため、室内側への外気の侵入を防ぐことができる。
【００１０】
前記投入口が前記収容部上方に、前記取出口が前記収容部の下方に設けられていることを特徴としている。
この特徴によれば、郵便物が長尺なものであっても郵便物の投入、及び取り出しが容易に行える。
【図面の簡単な説明】
【００１１】
【図１】実施例における壁に設置されたポストを示す斜視図である。
【図２】ポストを投入口側から見た斜視図である。
【図３】ポストを取出口側から見た斜視図である。
【図４】図３のＡ−Ａ断面図である。
【図５】壁に設置されたポストを示す側断面図である。
【図６】壁に設置されたポストに郵便物が投入された状態を示す側断面図である。
【発明を実施するための形態】
【００１２】
本発明に係るポストを実施するための形態を実施例に基づいて以下に説明する。
【実施例】
【００１３】
実施例に係るポストにつき、図１から図６を参照して説明する。以下、図５の壁を境にして画面左側を外側とし、壁を境にして画面右側を内側として説明するとともに、外側から見て左右側をポストの左右として説明する。
【００１４】
図１に示されるように、ポスト１は、建物の外側と内側とを区画する壁２に設けられた貫通孔２ａに設置されるものであり、壁２の外側（建物外）から郵便物１７（図６参照）が投入され、その郵便物１７を壁２の内側（建物内）から取り出すことができるようになっている。
【００１５】
図２及び図５に示されるように、ポスト１は、郵便物を収容する収容部３と、郵便物を投入可能な投入口５ｃと、郵便物を取り出し可能な取出口１４と、該取出口１４を開閉可能なスライド扉４（扉部材）と、から主に構成されている。
【００１６】
収容部３は、断面視コ字状を成し、壁２から外側に張り出して配置されている箱状体５（収容部３の壁外方側）と、箱状体５の開口側（内側）に連結された筒状のダクト部材６と、ダクト部材６の内側に連結される筒状の枠体７（収容部３の壁内方側）と、枠体７の内側上部を閉塞するように固定的に取付けられる固定板８と、を備えており、固定板８の下方が壁２の内側からアクセス可能となる取出口１４となっている（図５及び図６参照）。
【００１７】
箱状体５は、壁２から外側に張り出して配置されている。この箱状体５の上板部５ａにおける壁２から外側に張り出した部分には、左右方向に長手方向を有し上面側に突出する突出部５ｂが設けられているとともに、その突出部５ｂには、左右方向に長く上下に貫通する投入口５ｃが設けられており、投入口５ｃを介して収容部３内に郵便物１７を投入できるようになっている（図６参照）。尚、箱状体５の外板部５ｄには、ガラス製の化粧板９が取付けられており、外側からの見栄えがよくなっている。さらに尚、この化粧板９は、ガラス製に限られず、例えば金属や木材、樹脂等の様々な素材から構成されていてもよいし、デザインも自由に変更できる。
【００１８】
また、図５及び図６に示されるように、上板部５ａの上面側には、突出部５ｂに嵌合可能な凹部１０ａを備えた蓋部材１０が図示しないヒンジにより回動可能に取付けられており、この蓋部材１０により投入口５ｃを開閉可能となっている。このように、上板部５ａの上面から突出部５ｂが突出しており、突出部５ｂと凹部１０ａが嵌合するため、蓋部材１０を閉塞時には、雨や雪、または塵埃等が投入口５ｃを介して収容部３内に入らないようにできる。
【００１９】
また、上板部５ａの下面側には、投入口５ｃを下方から閉塞可能な閉塞部材１１が図示しないヒンジにより回動可能に取付けられている。この閉塞部材１１は、自然状態で投入口５ｃを閉塞するように上方に付勢されており、上方から押圧することにより投入口５ｃを開放するように押し下げられるようになっている。このように、閉塞部材１１は、上方に付勢されているため、投入口５ｃを介して収容部３内に郵便物１７を投入した後には、投入口５ｃが閉塞部材１１により閉塞され、外側から投入口５ｃを介して郵便物１７を取り出すことが防止される。
【００２０】
図２及び図５に示されるように、箱状体５の上板部５ａの内側端部には、フランジ部５ｅが上方に張り出して設けられ、箱状体５の下板部５ｆの内側端部にも同様にフランジ部５ｅが下方に張り出して設けられている。また、壁２の内側端部から内壁材２Ａ及び充填材２Ｂを貫通する貫通孔２ａの上下幅は、壁２の外側端部に配される外壁材２Ｃを貫通する貫通孔２ａの上下幅よりも大きく形成されており、この上下幅の差により段部２ｂ，２ｂが形成されている。これにより、貫通孔２ａにポスト１が設置された際には、上下のフランジ部５ｅ，５ｅが段部２ｂ，２ｂの端面２ｃ，２ｃに当接し、収容部３が壁２の外側に離脱することが防止されている。
【００２１】
また、ダクト部材６は、その外側端面が、箱状体５のフランジ部５ｅ，５ｅ及び側板部に亘って溶接等で固定されている。尚、箱状体５とダクト部材６との固定は、ビス等の固定手段により固定されてもよい。
【００２２】
図３及び図５に示されるように、枠体７は、ダクト部材６と連続するように溶接等で固定されている。尚、ダクト部材６と枠体７との固定は、ビス等の固定手段により固定されてもよい。
【００２３】
枠体７の左右の側板部７ａ，７ａには、スライド扉４のスライド移動を案内する案内部材１２，１２が設けられている。尚、案内部材１２，１２の構成は、同一であるため、ここでは、片側の案内部材１２のみを説明し、他方の案内部材１２の説明を省略する。
【００２４】
図４に示されるように、案内部材１２は、側板部７ａに固着されるベース板１２ａと、枠体７の厚み方向（ベース板１２ａの短手方向）に所定間隔離間して配置され上下方向に延びる複数のレール片１２ｂ，１２ｂ，…（本実施例では４本）と、から成り、この案内部材１２における外側端及び内側端に設けられるレール片１２ｂ，１２ｂの離間幅は、スライド扉４の厚みよりも大きくなっている。この外側端及び内側端のレール片１２ｂ，１２ｂには、スライド扉４における後述するフレーム４１の外側端面４１ａ，内側端面４１ｂに圧接するゴム等の密封部材１３，１３が、上下方向に亘って設けられている。
【００２５】
図３ないし図５に示されるように、スライド扉４は、外側（または内側）から見て矩形状のフレーム４１と、フレーム４１内に設けられるガラス材４２（透明部材）と、から成る。尚、図示しないが、フレーム４１には、枠体７に対して係止するストッパー部材が設けられており、このストッパー部材によりスライド扉４を枠体７内の所定の高さに配置できるようになっている。
【００２６】
特に図４に示されるように、フレーム４１の左右端部（右端部のみ図示）には、案内部材１２における中央側のレール片１２ｂ，１２ｂに嵌合可能な凹条部４１ｃ，４１ｃがそれぞれ形成されており、レール片１２ｂ，１２ｂと凹条部４１ｃ，４１ｃとの嵌合により、スライド扉４がレール片１２ｂ，１２ｂに沿って移動するようになっている。
【００２７】
図５及び図６に示されるように、スライド扉４を上下に移動させることにより、取出口１４を開閉可能となっている。このように、取出口１４をスライド扉４により開閉するため、取出口１４を開放してもスライド扉４が壁２の内側に張り出さないので、取出口１４の開閉状態によりスライド扉４が人の通行の邪魔になることが無い。また、案内部材１２，１２によりスライド扉４のスライド移動が案内されているため、スムーズに取出口１４の開閉動作を行うことができる。
【００２８】
また、スライド扉４の一部には、ガラス材４２が用いられているため、スライド扉４を開放しなくても、壁２の内側からガラス材４２を介して収容部３内の郵便物１７の有無を視認できる。さらに、固定板８も同様にフレーム８１とガラス材８２とから成るため、壁２の内側から収容部３内を視認できる範囲が大きくなり、郵便物１７の有無が視認し易い。尚、本実施例では、透明部材をガラス材４２，８２として説明したが、これに限られず、透明性のある合成樹脂を利用してもよい。
【００２９】
また、図５に示されるように、フレーム４１の下端部と、フレーム４１の上端部における固定板８側（外側）と、には、枠体７の側板部７ａ，７ａ間に渡って延びるゴム等の密封部材１５，１６が設けられている。この密封部材１５は、スライド扉４により取出口１４を閉塞時に枠体７の下板部の上面に圧接され、密封部材１６は、スライド扉４により取出口１４を閉塞時に固定板８のフレーム８１の下端部に圧接されるようになっている。これによれば、スライド扉４により取出口１４を閉塞時には、取出口１４の周辺とスライド扉４との間に圧接状態の密封部材１３，１３及び密封部材１５，１６が介在するため、取出口１４を密封状に閉塞でき、例えば、壁２の外側の外気が壁２の内側に入り込むことを防止できるとともに、郵便物１７を投入時に収容部３内に入り込んだ雨や雪、または塵埃等が壁２の内側に入り込むことを防止できる。
【００３０】
以上説明したように、ポスト１は、収容部３の一部が壁２から外側に張り出すように壁２に設置されているので、収容部３内の収容空間を確保しつつ、壁２の内側への枠体７の張り出し量を抑えることができ、壁２の内側において人の通行の邪魔にならない。
【００３１】
さらに、壁２の外側に張り出した部分の上板部５ａに上下に開口する投入口５ｃが設けられており、その投入口５ｃを介して、上方から収容部３内に郵便物１７を投入する構造であり、収容部３の上下寸法を大きくすれば、寸法の長い郵便物１７であっても収容することができるため、収容部３の奥行方向の大きさを小さくできる。そのため、収容部３の壁２の内側への張り出し量を抑えることができる。
【００３２】
また、収容部３は、壁２の内部にもダクト部材６と枠体７とによって構成されているため、収容部３の壁２の内側への張り出し量を抑えながらも、壁２の厚さを利用して収容部３を効率よく確保できるようになっている。
【００３３】
また、取出口１４は、収容部３における内側（枠体７側）の下方側に設けられているため、取出口１４を介して収容部３の底側に収容された郵便物１７を取り出しやすくなっている。特に、図６に示されるように、郵便物１７は、投入口５ｃを介して上方から収容部３内に投入されるため、収容部３内において立設することが多くなるが、このような場合においても、郵便物１７を持ち上げなくても、収容部３の下側部に沿って内側にスライドさせることで引き出せるようになっている。
【００３４】
以上、本発明の実施例を図面により説明してきたが、具体的な構成はこれら実施例に限られるものではなく、本発明の要旨を逸脱しない範囲における変更や追加があっても本発明に含まれる。
【００３５】
例えば、前記実施例では、収容部３の内側端面（枠体７の内側端面）が壁２の内面よりも若干壁２の内側に張り出しているものも含む態様について説明したが、収容部３の内側端面は、壁２の内面と面一となるように配置されてもよいし、壁２の内面よりも外側、すなわち壁２の内部に配置されていてもよい。
【００３６】
また、収容部３は、一体的に形成された箱状を成していたが、これに限られず、例えば、壁２の外側に張り出す箱状体と、貫通孔２ａの内側の開口部を閉塞するように壁２の内側に設けられたスライド扉と、離間して配置することで収容部を構成してもよい。
【００３７】
また、投入口５ｃは、上下方向に開口することに限られず、例えば、箱状体５の外板部５ｄに横方向に開口する投入口を設けてもよい。
【００３８】
また、前記実施例では、固定板８の内側にずれてスライド扉４が設けられる態様について説明したが、例えば、スライド扉４は、固定板８の外側にずれて設けられていてもよい。
【００３９】
さらに、前記実施例では、固定板８の内側でスライド扉４が上下にスライドすることで取出口１４を開閉する態様について説明したが、固定板８に替えてスライド扉４を設置し、スライド扉４，４を上下に適宜スライドさせて取出口を開放するようになっていてもよい。また、スライド扉４，４を左右方向にスライドして取出口を開閉するようにしてもよい。上記のような場合、スライド扉４，４の開閉態様によって取出口の位置も変化するようになる。尚、スライド扉４，４に限られず、例えば、観音開き式の回転扉等であってもよい。
【００４０】
また、収容部３の内部に投入口５ｃから投入された郵便物１７を取出口１４に向けて誘導する誘導部を設けてもよい。これによれば、郵便物１７を取出口１４に近づけて取出しやすくできる。この誘導部は、例えば、収容部３の内部に設けられたテーパ面、上板部５ａの下面側において投入口５ｃの外側に軸支された閉塞部材１１、下方開口が取出口１４を向くように傾斜して形成された投入口５ｃ等が挙げられる。
【符号の説明】
【００４１】
１                ポスト
２                壁
２ａ              貫通孔
３                収容部
４                スライド扉（扉部材）
５                箱状体（収容部の壁外方側）
５ｃ              投入口
７                枠体（収容部の壁内方側）
８                固定板
１０              蓋部材
１１              閉塞部材
１２              案内部材
１３              密封部材
１４              取出口
１５，１６        密封部材
１７              郵便物
４１              フレーム
４２              ガラス材（透明部材）
【図１】
0006603523.tif 000002
【図２】
0006603523.tif 000003
【図３】
0006603523.tif 000004
【図４】
0006603523.tif 000005
【図５】
0006603523.tif 000006
【図６】
0006603523.tif 000007